(57)【要約】      （修正有）【課題】  容易な組み立てによって物品の脱落を防止するカートン閉鎖機構を有するカートンの提供。【解決手段】  筒状構造を形成するための底壁パネル１３、側壁パネル１４および頂壁パネルを含む複数のパネルと、側壁パネル１４に接続され筒状構造の両端の少なくとも一部を閉鎖する物品支持パネル１５ａ、ｂと、中継パネル１６ａ，ｂを介して物品支持パネル１５ａ，ｂに接続され、かつ底壁パネル１３に接続された折返しパネル１７ａとを備え、物品支持パネル１５ａ，ｂは、折返しパネル１７ａの底壁パネル１３側への外面からの折り返しに連動してカートンの両端部を閉鎖し、折返しパネル１７ａの端部にはスライドフラップ３２ａが設けられ、底壁パネル１３にはスライドフラップ受容手段４１ａが設けられ、スライドフラップ３２ａを上記スライドフラップ受容手段４１ａに挿入することによってカートンが閉鎖されるカートン。【選択図】図６
2005343511.tif 000002
【特許請求の範囲】
【請求項１】
物品を複数保持するためのカートンであって、
上記カートンは、筒状構造を形成するための底壁パネル、側壁パネルおよび頂壁パネルを含む複数のパネルと、上記側壁パネルに接続され上記筒状構造の両端の少なくとも一部を閉鎖する物品支持パネルと、中継パネルを介して上記物品支持パネルに接続され、かつ上記底壁パネルに接続された折返しパネルとを備え、
上記物品支持パネルは、上記折返しパネルの上記底壁パネル側への外面からの折り返しに連動してカートンの両端部を閉鎖し、
上記折返しパネルの端部にはスライドフラップが設けられ、
上記底壁パネルにはスライドフラップ受容手段が設けられ、
上記折返しパネルを折り返した後、上記スライドフラップを上記スライドフラップ受容手段に挿入することによってカートンが閉鎖されることを特徴とするカートン。
【請求項２】
前記折返しパネルの端部にはスライドフラップおよびスライドロックフラップ受容スリットが設けられ、
前記底壁パネルにはスライドフラップ受容開口部およびスライドロックフラップが設けられ、
上記折返しパネルを折り返した後、上記スライドフラップを上記スライドフラップ受容開口部に挿入し、上記スライドロックフラップを上記スライドロックフラップ受容スリットに挿入してカートンが閉鎖されることを特徴とする請求項１に記載のカートン。
【請求項３】
前記折返しパネルは、略台形状を有し、台形状の底辺において折目線を介して前記底壁パネルと折り曲げ自在に接続され、上記台形状の両斜辺においてそれぞれ折目線を介して中継パネルと折り曲げ自在に接続され、上記台形上の頂辺において折目線を介してスライドフラップと折り曲げ自在に接続されることを特徴とする請求項１または２に記載のカートン。
【請求項４】
前記スライドロックフラップ受容スリットは、前記スライドフラップと前記中継パネルの境界において互いに平行に延在する切り込み線からなり、
前記スライドロックフラップは、前記底壁パネル上において周囲を打ち抜き形成され、かつ折目線を介して１辺を上記底壁パネルと折り曲げ自在に接続され、
前記スライドフラップ受容開口部は、上記スライドロックフラップの周囲に形成された切り込み線からなることを特徴とする請求項１〜３のいずれかに記載のカートン。
【請求項５】
物品を複数保持するためのカートンであって、
上記カートンは、筒状構造を形成するための底壁パネル、側壁パネルおよび頂壁パネルを含む複数のパネルと、上記側壁パネルに接続され上記筒状構造の両端の少なくとも一部を閉鎖する物品支持パネルと、中継パネルを介して上記物品支持パネルに接続され、かつ上記底壁パネルに接続された折返しパネルとを備え、
上記物品支持パネルは、上記折返しパネルの上記底壁パネル側への外面からの折り返しに連動してカートンの両端部を閉鎖し、
上記折返しパネルに糊付けを行い、折り返して底壁パネルと接着してカートンが閉鎖されることを特徴とするカートン。
【発明の詳細な説明】
【技術分野】
【０００１】
本発明は、飲料用パックなどの複数の物品を収容するカートンに係り、特に、カートンから物品が脱落するのを防止する技術に関する。
【背景技術】
【０００２】
従来より、ソフトドリンク等の飲料用パック、例えば飲料用パック等の物品を複数収容して流通や消費者の使用に供されるカートンが提供されている。供給者は、そのようなカートンに飲料用パック等の物品を収容し、カートンを封止して出荷している。このようなカートンとしては、数多くのものが知られている（例えば、特許文献１参照。）。
【０００３】
しかしながら、一般的なカートンにおいては、物品の充填方法やカートンブランクの組み立て方法などに工夫を凝らしたものはいくつか提案されているものの、カートンブランクを組み立て、物品を充填し、カートンを封止する一連の工程が煩雑である場合が多い、特に、最終工程であるカートンの封止は、物品の脱落を防止する観点からも、複数のパネルを折り曲げて強固に係合させたり、複雑な糊付け工程を要するなど、組み立ての手間がかかり、生産効率が低下するという問題を有していた。
【０００４】
【特許文献１】特開２００１−３５４２３１（図面、要約書）
【発明の開示】
【発明が解決しようとする課題】
【０００５】
本発明は、上記事情に鑑みてなされたものであり、容易な組み立て方法によって物品の脱落を確実に防止することができるカートン閉鎖機構およびこの機構を有するカートンを提供することを目的としている。
【課題を解決するための手段】
【０００６】
本発明は、物品を複数保持するためのカートンであって、カートンは、筒状構造を形成するための底壁パネル、側壁パネルおよび頂壁パネルを含む複数のパネルと、側壁パネルに接続され筒状構造の両端の少なくとも一部を閉鎖する物品支持パネルと、中継パネルを介して物品支持パネルに接続され、かつ底壁パネルに接続された折返しパネルとを備え、物品支持パネルは、折返しパネルの底壁パネル側への外面からの折り返しに連動してカートンの両端部を閉鎖し、折返しパネルの端部にはスライドフラップが設けられ、底壁パネルにはスライドフラップ受容手段が設けられ、折返しパネルを折り返した後、スライドフラップをスライドフラップ受容手段に挿入することによってカートンが閉鎖されることを特徴としている。
【０００７】
上記のような形態によれば、物品支持パネルが筒状構造の両端を閉鎖するので、収納した物品の脱落を防止することができる。また、この物品支持パネルは、折返しパネルの折り返しと連動して開閉するので、この折返しパネルを折り曲げるだけで容易に物品支持パネルがカートンを閉鎖することができる。さらに、本発明のカートンは、この折返しパネルを折り曲げた後、スライドフラップをスライドフラップ受容手段に挿入して固定するスライドロック機構を備えているので、折返し後の折返しパネルを容易に固定することができ、物品の脱落防止を確実に行うことができる。
【０００８】
また、本発明は、物品を複数保持するためのカートンであって、カートンは、筒状構造を形成するための底壁パネル、側壁パネルおよび頂壁パネルを含む複数のパネルと、側壁パネルに接続され筒状構造の両端の少なくとも一部を閉鎖する物品支持パネルと、中継パネルを介して物品支持パネルに接続され、かつ底壁パネルに接続された折返しパネルとを備え、物品支持パネルは、折返しパネルの底壁パネル側への折り返しに連動してカートンの両端部を閉鎖し、折返しパネルに糊付けを行い、折り返して底壁パネルと接着してカートンが閉鎖されることを特徴としている。
【０００９】
このような形態によれば、折返しパネルに接着剤を塗布して折り返しているので、折返しパネルを底壁パネルに対して容易に固定することができ、物品の脱落防止を確実に行うことができる。
【発明を実施するための最良の形態】
【００１０】
以下、本発明の実施形態について図面を参照しながら説明する。 
図１には、本発明の第１実施形態である矩形の飲料用パック等の物品を複数収容するためのカートンを形成するためのものであって、ボール紙またはそれに類する折曲げ自在なシート材から作成されたブランクが示されている。図１において、ブランク１ａは、頂壁パネル１１と、第１側壁パネル１２と、底壁パネル１３と、第２側壁パネル１４とを備え、これらは折目線２１，２２，２３によって折り曲げ自在に連続的に接続されている。また、頂壁パネル１１には、折目線２４を介して糊付けフラップ３１が折り曲げ自在に連続的に接続されている。この糊付けフラップ３１に接着剤を塗布し、第２側壁パネル１４と接合することによって、これらパネル１１〜１４により矩形の筒状体が形成される。これらパネル１１〜１４の縁部には、以下に説明する各種のパネルおよびフラップが形成されている。
【００１１】
第１側壁パネル１２および第２側壁パネル１４のカートン前端側（図１において左側とする）には、物品支持パネル１５ａ，１５ｂがそれぞれ折目線２５ａ，２５ｂを介して折り曲げ自在に形成されており、後端側（同右側）においては、物品支持パネル１５ｃ，１５ｄがそれぞれ折目線２５ｃ，２５ｄを介して折り曲げ自在に形成されている。これら物品支持パネル１５ａ〜１５ｄは、カートンが組み立てられた状態において、矩形の筒状体の前端部および後端部の開口の一部を閉鎖し、飲料用パック等の内容物の下端を支持し、これらがカートンから脱落するのを防ぐ。
【００１２】
底壁パネル１３の前端部および後端部には、折返しパネル１７ａ，１７ｃがそれぞれ折目線２８ａ，２８ｃを介して折り曲げ自在に連続的に接続されている。さらに、カートンの前端部には、中継パネル１６ａが折目線２６ａを介して物品支持パネル１５ａと、折目線２７ａを介して折返しパネル１７ａと折り曲げ自在に連続的に接続されている。同様に、カートンの前端部には中継パネル１６ｂが接続されており、カートンの後端部には中継パネル１６ｃ，１６ｄが接続されている。これら中継パネル１６ａ〜１６ｄは、折返しパネル１７ａ，１７ｃを底壁パネル１３に対して折返す際に、物品支持パネル１５ａ〜１５ｄをこれらと連動させてカートンの開口部を閉鎖させる。
【００１３】
折返しパネル１７ａ，１７ｃの端部には、折目線２０ａ，２０ｃを介してスライドフラップ３２ａ，３２ｃが折り曲げ自在に連続的に接続されている。また、底壁パネル１３には、スライドフラップ受容開口部４１ａ，４１ｃが切り込み線によって打ち抜き形成されている。折返しパネル１７ａ，１７ｃを底壁パネル１３に対して折り返す際に、スライドフラップ３２ａ，３２ｃは、このスライドフラップ受容開口部４１ａ，４１ｃに受容される。
【００１４】
底壁パネル１３には、切り込み線によって周囲を区画されたスライドロックフラップ３３ａ，３３ｃが折目線２９ａ，２９ｃを介して折り曲げ自在に連続的に接続されており、中継パネル１６ａ〜１６ｄの端部には、切り込み線からなるスライドロックフラップ受容スリット４２ａ，４２ｃが形成されている。このスライドロックフラップ受容スリット４２ａ，４２ｃは、スライドロックフラップ３３ａ，３３ｃをそれぞれ受容し物品支持パネルのカートン閉鎖をより強固にする。
【００１５】
頂壁パネル１１には、開封開口部４３が形成されており、また、第１側壁パネル１２には開封フラップ３４が形成されている。さらに、第１側壁パネル１２には、打ち抜き形成された複数のく字状ショートスリットからなるジッパー４４が形成されている。開封者は、この開封フラップ３４をつまんで引っ張り、ジッパー４４を破断させることでカートンを開封することができる。
【００１６】
図１に示すブランクからカートンを組み立てるために、連続的な折り曲げ作業が行われる。折り曲げ作業は、手詰めによる作業、または直線状の機械ラインでブランクないしカートンを反転または回転させることなく行われる。以下はその手順を示すものであるが、本発明は以下の例に限定されるものではない。
【００１７】
まず、水平に置かれたカートンブランク１の底壁パネル１３上に例えば飲料用パック等の物品を載置する。この時、飲料用パックの下端部を下にして載置するのが通常であるが、逆向きや横向きなど、あらゆる配置が可能で、特に限定されない。次に、折目線２２および２３に沿って第１側壁パネル１２および第２側壁パネル１４を垂直上方に折り曲げ、これら側壁パネル１２，１４を収容する物品の側面に密着させる。続いて、折目線２１に沿って頂壁パネルを側壁パネルに対して９０度になるよう折り曲げると同時に、折目線２４に沿って糊付けフラップ３１を９０度折り曲げ、さらにこの糊付けフラップ３１に接着剤を塗布して第２側壁パネル１４の裏面の端部と重ね合わせて接合し、両端が開口した矩形筒状体を形成する。なお、上記の方法でカートンを先に組み立て、矩形筒状体を形成した後に飲料用パック等の物品を収容することもできる。
【００１８】
続いて、図６を参照しながらカートンの閉鎖工程を説明する。なお、図６では、上述の矩形筒状体を形成したのちに、上下を反転させ、底壁パネル１３が上方になっている。
【００１９】
図６（Ａ）および（Ｂ）に示すように、折目線２８ａを軸としてカートン前端部の折返しパネル１７ａを上方に折り曲げる。図６（Ｂ）に示すように、折り返しパネル１７ａの折り曲げに伴って、折目線２７ａ，２７ｂが折れ曲がって中継パネル１６ａ，１６ｂが連動し、さらに、中継パネル１６ａ，１６ｂに連動して物品支持パネル１５ａ，１５ｂが連動して折目線２５ａ，２５ｂを介して側壁パネル１２，１４に対して９０度折れ曲がり、カートン前端部を閉鎖する。続いて、図６（Ｃ）に示すように、折返しパネル１７ａを底壁パネル１３に密着するようにさらに折り曲げると同時に、スライドフラップ３２ａをスライドフラップ受容開口部４１ａに挿入する。
【００２０】
図６（Ｃ）に示すように、この折返しパネル１７ａの折り曲げにより、それまで互いに離れて平行に延在していたスライドロックフラップ受容スリット４２ａが一直線上に並ぶ。続いて図６（Ｄ）に示すように、スライドロックフラップ３３ａをスライドロックフラップ受容スリット４２ａに挿入することができる。以上がカートン前端部の閉鎖機構であるが、同様にして、後端部の閉鎖を行うことができる。
【００２１】
こうして複数の飲料用パックが荷積みされたカートンは、上下が反転していて底壁パネルが上方になっているので、これを再度反転させて頂壁パネルを上方にする。このようにすることで、底壁パネルが物品の重量で押圧されるので、スライドロック機構が外れることがなく、好適である（図１０参照）。
【００２２】
また、このカートンから飲料用パックを取り出すには、開封開口部４３に指を挿入して開封フラップ３５を把持し、下方またはカートン側方へ向けて引く。これにより、開封フラップ３５の両端から破断が生じ、この破断は、ジッパー４４に伝播し、カートンが開封される。
【００２３】
本発明のカートンによれば、上述したように、容易な折り曲げ工程およびフラップの挿入工程のみによって、カートン閉鎖のための煩雑な工程を追加することなく、強固な閉鎖構造が得られて好適である。
【００２４】
図２には、本発明の第２実施形態のカートンを形成するためのものであって、ボール紙またはそれに類する折曲げ自在なシート材から作成されたブランク１ｂが示されている。図２中、符号および各部の名称は全て図１に準じ、カートンブランクに飲料用パックを載置し、ブランクを折り曲げて矩形筒状体を形成する工程も、第１実施形態のカートンに準じる。
【００２５】
このカートンブランクを用いて矩形筒状体を形成した後は、図７（Ａ）および（Ｂ）に示すように、折目線２８ａを軸としてカートン前端部の折返しパネル１７ａを上方に折り曲げる。図７（Ｂ）に示すように、折り返しパネル１７ａの折り曲げに伴って、折目線２７ａ，２７ｂが折れ曲がって中継パネル１６ａ，１６ｂが連動し、さらに、中継パネル１６ａ，１６ｂに連動して物品支持パネル１５ａ，１５ｂが連動して折目線２５ａ，２５ｂを介して側壁パネル１２，１４に対して９０度折れ曲がり、カートン前端部を閉鎖する。続いて、折返しパネル１７ａに接着剤を塗布し、図７（Ｃ）に示すように、折返しパネル１７ａを底壁パネル１３に完全に密着させて接合が完了する。同様にして、後端部の閉鎖を行う。
【００２６】
本発明の上記形態のカートンによっても、第１の実施形態と同様、容易な折り曲げ工程および接合工程のみによって、カートン閉鎖のための煩雑な工程を追加することなく、強固な閉鎖構造が得られて好適である。
【００２７】
さらに、本発明の第３の実施形態として、図３に示すような閉鎖機構を有するカートン１ｃを挙げることができる。このカートン１ｃは、折返しパネル１７ａの端部に折目線２０ａを介してプランジャロックフラップ３５ａが折り曲げ自在に連続的に接続されており、底壁パネル１３には、プランジャロックフラップ受容開口部４５ａが打ち抜き形成されている。
【００２８】
このカートン１ｃを組み立てるには、上記第１および第２実施形態の場合と同様にして矩形筒状体を形成した後、折目線２８ａを軸としてカートン前端部の折返しパネル１７ａを上方に折り曲げる。折り返しパネル１７ａの折り曲げに伴って、折目線２７ａ，２７ｂが折れ曲がって中継パネル１６ａ，１６ｂが連動し、さらに、中継パネル１６ａ，１６ｂに連動して物品支持パネル１５ａ，１５ｂが連動して折目線２５ａ，２５ｂを介して第１側壁パネル１２および第２側壁パネル１４に対して９０度折れ曲がり、カートン前端部を閉鎖する。続いて、折返しパネル１７ａを底壁パネル１３に対し完全に密着させ、プランジャロックフラップ３５を押圧してプランジャロックフラップ受容開口部４５内に挿入し、係合させることでカートンを閉鎖する。
【００２９】
上記第３実施形態のカートンによっても、第１および第２の実施形態と同様、容易な折り曲げ工程およびプランジャロックフラップの押圧工程のみによって、強固な閉鎖構造が得られて好適である。
【００３０】
さらに、本発明の第４の実施形態として、図４に示すような閉鎖機構を有するカートン１ｄを挙げることができる。このカートン１ｄは、折返しパネル１７ａの端部にＪ−Ｌロックフラップ３６ａが連続的に接続されており、底壁パネル１３には、Ｊ−Ｌロックフラップ受容スリット４６ａが打ち抜き形成されている。
【００３１】
このカートン１ｄを組み立てるには、上記の各実施形態の場合と同様にして矩形筒状体を形成した後、折目線２８ａを軸としてカートン前端部の折返しパネル１７ａを上方に折り曲げる。折り返しパネル１７ａの折り曲げに伴って、折目線２７ａ，２７ｂが折れ曲がって中継パネル１６ａ，１６ｂが連動し、さらに、中継パネル１６ａ，１６ｂに連動して物品支持パネル１５ａ，１５ｂが連動して折目線２５ａ，２５ｂを介して第１側壁パネル１２および第２側壁パネル１４に対して９０度折れ曲がり、カートン前端部を閉鎖する。続いて、折返しパネル１７ａを底壁パネル１３に対し完全に密着させるとともに、Ｊ−Ｌロックフラップ３６ａをＪ−Ｌロックフラップ受容スリット４６ａ内にスライドさせて挿入し、係合させることでカートンを閉鎖する。
【００３２】
上記第４実施形態のカートンによっても、他の実施形態と同様、容易な折り曲げ工程およびＪ−Ｌロックフラップのスライド挿入のみによって、強固な閉鎖構造が得られて好適である。
【００３３】
さらに、本発明の第５の実施形態として、図５に示すような閉鎖機構を有するカートン１ｅを挙げることができる。このカートン１ｅは、折返しパネル１７ａの端部にヒールアンドトウロックフラップ（トウ部）３７ａが折り曲げ自在に連続的に接続されており、折返しパネル１７ａにはヒールアンドトウロックフラップ（ヒール部）３８ａが形成されている。底壁パネル１３には、ヒールアンドトウロックフラップ受容開口部４７ａが打ち抜き形成されている。
【００３４】
このカートン１ｅを組み立てるには、上記の各実施形態の場合と同様にして矩形筒状体を形成した後、図８に示すように、折目線２８ａを軸としてカートン前端部の折返しパネル１７ａを上方に折り曲げる。折り返しパネル１７ａの折り曲げに伴って、折目線２７ａ，２７ｂが折れ曲がって中継パネル１６ａ，１６ｂが連動し、さらに、中継パネル１６ａ，１６ｂに連動して物品支持パネル１５ａ，１５ｂが連動して折目線２５ａ，２５ｂを介して第１側壁パネル１２および第２側壁パネル１４に対して９０度折れ曲がり、カートン前端部を閉鎖する。続いて、折返しパネル１７ａを底壁パネル１３に対し完全に密着させるとともに、トウ部３７ａをヒールアンドトウロックフラップ受容開口部４７ａ内にスライドさせて挿入し、係合させることでカートンを閉鎖する。さらに、ヒール部３８ａを押圧することで、ヒール部３８ａをヒールアンドトウロックフラップ受容開口部４７ａに係合させ、カートンの閉鎖を固定する。図９は、図８（Ｃ）におけるＡ−Ａ線断面図である。図に示すように、ヒールアンドトウロックフラップ受容開口部４７ａの両端にそれぞれトウ部３７ａとヒール部３８ａが係合しているので、折返しパネル１７ａと底壁パネル１３は強固に固定されており、脱離しにくくなっている。
【００３５】
上記第５実施形態のカートンによっても、他の実施形態と同様、容易な折り曲げ工程およびヒールアンドトウロックフラップのスライド挿入のみによって、強固な閉鎖構造が得られて好適である。
【００３６】
以上説明した閉鎖機構のうち、プランジャロック機構は、係合させる際にフラップを押し下げる必要があることから、フラップの押し下げに要する空間を必要とするので、内容物としては例えば缶やビン等の容器同士の間に隙間が生じるものに限定されるが、それ以外のスライドロック機構では係合させる際に隙間を必要としないので、例えばブリックパックのような隙間がない直方体容器の包装にも利用することができるので特に好ましい。また、カートンの閉鎖機構としては特に限定されず、例示した実施形態以外の任意の閉鎖機構を本発明のカートンに組み合わせることができる。
【００３７】
本発明においては、第１側壁パネル１２および第２側壁パネル１４の形状は必ずしも矩形である必要はなく、任意の形状とすることができる。その一例を図１１に示す。図１１は、カートンの前端部および後端部を切り欠いて側壁パネルをＴ字状とし、頂壁パネルの形状を変更した例であるが、このようにすれば、内容物が露出していることにより内容物を容易に判別することができるだけでなく、カートンの原材料の節約および開封後の廃棄カートンの減量に寄与する。
【００３８】
このように、側壁パネルおよび頂壁パネルの形状は任意に変更されうるが、実際にはカートンの強度を損なわない範囲で適宜選択される。同様に、物品支持パネルも任意の形状とすることができ、例えば、前端部および後端部の全面を覆うような形態とすることも可能である。
【００３９】
上記の説明で使用した頂、底、端、先、後、内側、および外側などの方向を表わす用語は、それぞれのパネルをそのような方向に限定するものではなく、単にパネルどうしを互いに区別するためのものにすぎない。折目線という用語は必ずしも単一の折目線を指すものではなく、本発明の範囲を逸脱しない限りにおいて、１または複数の刻み線や、例えばミシン目やプレス型押しで薄くした線等の容易に折れたり曲がったりする線であっても良い。また、本発明は、発明の範囲から逸脱することなく、種々の配列の物品のカートンに適用することができる。
【産業上の利用可能性】
【００４０】
以上説明したように、本発明によれば、容易な組み立て方法によって物品の脱落を確実に防止することができるカートン閉鎖機構およびこの機構を有するカートンを提供することができる。
【図面の簡単な説明】
【００４１】
【図１】本発明の第１実施形態であるスライドロック機構を有するカートンブランクの平面図である。
【図２】本発明の第２実施形態である糊付けロック機構を有するカートンブランクの平面図である。
【図３】本発明の第３実施形態であるプランジャロック機構を有するカートンブランクの概略図である。
【図４】本発明の第４実施形態であるＪ−Ｌロック機構を有するカートンブランクの概略図である。
【図５】本発明の第５実施形態であるヒールアンドトウロック機構を有するカートンブランクの概略図である。
【図６】本発明の第１実施形態であるスライドロック機構を有するカートンの閉鎖方法を示す概略図である。
【図７】本発明の第２実施形態である糊付けロック機構を有するカートンの閉鎖方法を示す概略図である。
【図８】本発明の第５実施形態であるヒールアンドトウロック機構を有するカートンの閉鎖方法を示す概略図である。
【図９】図８におけるＡ−Ａ線断面図である。
【図１０】物品を収納した状態の本発明のカートンを示す斜視図である。
【図１１】物品を収納した状態の本発明の他の実施形態のカートンを示す斜視図である。
【符号の説明】
【００４２】
１ａ      第１実施形態のカートンブランク
１ｂ      第２実施形態のカートンブランク
１ｃ      第３実施形態のカートンブランク
１ｄ      第４実施形態のカートンブランク
１ｅ      第５実施形態のカートンブランク
１１      頂壁パネル
１２      第１側壁パネル
１３      底壁パネル
１４      第２側壁パネル
１５ａ〜１５ｄ  物品支持パネル
１６ａ〜１６ｄ  中継パネル
１７ａ，１７ｃ  折返しパネル
２０ａ〜２９ｃ  折目線
３１      糊付けフラップ
３２ａ，３２ｃ  スライドフラップ
３３ａ，３３ｃ  スライドロックフラップ
３４      開封フラップ
３５ａ    プランジャロックフラップ
３６ａ    Ｊ−Ｌロックフラップ
３７ａ    ヒールアンドトウロックフラップ（トウ部）
３８ａ    ヒールアンドトウロックフラップ（ヒール部）
４１ａ，４１ｃ  スライドフラップ受容開口部
４２ａ，４２ｃ  スライドロックフラップ受容スリット
４３      開封開口部
４４      ジッパー
４５ａ    プランジャロックフラップ受容開口部
４６ａ    Ｊ−Ｌロックフラップ受容スリット
４７ａ    ヒールアンドトウロック受容開口部
Ｐ        飲料用パック   
【図１】
2005343511.tif 000003
【図２】
2005343511.tif 000004
【図３】
2005343511.tif 000005
【図４】
2005343511.tif 000006
【図５】
2005343511.tif 000007
【図６】
2005343511.tif 000008
【図７】
2005343511.tif 000009
【図８】
2005343511.tif 000010
【図９】
2005343511.tif 000011
【図１０】
2005343511.tif 000012
【図１１】
2005343511.tif 000013